(57)【要約】【課題】遮断時に安全を保ちながら自動的に開弁を行い人的な開弁作業を軽減する。【解決手段】流量測定手段１によりガス流量に異常がある場合、あるいは感震器センサ７、圧力センサ８、外部入力端子９から異常信号がある場合、弁駆動部３を動作させ遮断弁２を閉動作させガス通路を遮断するとともに、制御部２０からの復帰要求信号により弁駆動部３を動作させて遮断弁２を開動作さてガス通路を開けたのち所定期間流量測定手段１によりガスの漏洩がないか、感震器センサ７、圧力センサ８、外部入力端子９からの復帰異常信号がないかどうかを監視し異常があれば遮断弁２を閉動作させガス通路を遮断、異常がなければ所定期間経過後制御部２０へ開動作完了信号を送る自動復帰部１１とを備えたものである。【選択図】図４
2005188925.tif 000002
【特許請求の範囲】
【請求項１】
通過ガス流量に対応した流量を測定する流量測定手段と、ガス通路の開閉を行う遮断弁と、前記遮断弁の開閉駆動をする駆動部と、地震の振動を検出する感震器センサと、ガス管の圧力低下を検出する圧力センサと、外部機器からの異常信号を入力する外部入力端子と、前記流量測定手段によりガス流量に異常がある場合、あるいは前記感震器センサ、前記圧力センサ及び前記外部入力端子から異常信号がある場合前記駆動部を動作させ前記遮断弁を閉動作させガス通路を遮断するとともに前記感震器センサで遮断した場合復帰要求信号を所定期間毎に複数回出力する制御部と、前記制御部からの復帰要求信号により前記駆動部を動作させて前記遮断弁を開動作させてガス通路を開けたのち所定期間前記流量測定手段によりガスの漏洩がないか、前記感震器センサ、前記圧力センサ、前記外部入力端子からの復帰異常信号がないかどうかを監視し異常があれば前記遮断弁を閉動作させガス通路を遮断し、異常がなければ所定期間経過後前記制御部へ開動作完了信号を送る自動復帰部とを備えたガス遮断装置。
【発明の詳細な説明】
【技術分野】
【０００１】
本発明は、ガスの事故を未然に防ぐガス遮断装置に関するものである。
【背景技術】
【０００２】
従来、この種のガス遮断装置は、図６において２はガス通路の開閉を行う遮断弁、１は通過ガス流量に対応した流量を測定する流量測定手段、３は遮断弁２の開閉駆動をする駆動部、４は遮断弁２や流量測定手段１が取り付けられているガスメータ、７は地震の振動を検出する感震器センサ、８はガス管の圧力低下を検出する圧力センサと、９は警報器等の外部機器からの異常信号を入力する外部入力端子、１２はガス通路が遮断されたことを外部に報知する報知手段としてのＬＥＤ、１３は外部より遮断弁２の開を指示する外部復帰手段としてのスイッチ、３０は流量測定手段１によりガス流量に異常がある場合、あるいは感震器センサ７、圧力センサ８、警報器等の外部機器からの外部入力端子９から異常信号がある場合駆動部３を動作させ遮断弁２を閉動作させガス通路を遮断しＬＥＤ（報知手段１２）を表示させる一方外部復帰手段（スイッチ）からの信号により駆動部３を駆動して遮断弁２を開動作する遮断制御部である。
【０００３】
制御部３０は流量測定手段１によりガス流量に異常がある場合、あるいは感震器センサ７、圧力センサ８、外部入力端子９からの異常信号がある場合駆動部３を動作させ遮断弁２を閉動作しＬＥＤ（報知手段１２）で外部に報知する。このＬＥＤ（報知手段１２の表示）をみてガスを使用している家庭のひとが異常を確認してから、スイッチ（外部復帰手段１３）を押して遮断弁２を復帰してガスが使用できるようにしていた。
【発明の開示】
【発明が解決しようとする課題】
【０００４】
しかしながら、前記従来の構成では、遮断弁２を遮断して報知手段１２で報知するだけであるので、例えば衝撃等によりガス通路が遮断した場合その家庭の人がガスを使用するまで気付きにくく、また気付いてもわざわざガスメータが設置してある所までスイッチ（外部復帰手段１３）を押しにいく必要があった。また地震等により一斉にその地区の各家庭の遮断弁２が閉じた場合には、各家庭に遮断弁２の復帰の仕方等の説明をする必要があり場合によってはガス事業者の人が出動して安全を確認してからスイッチ（外部復帰手段１３）を押しにいく必要があった。
【０００５】
本発明は、前記従来の課題を解決するもので、遮断時に安全を保ちながら自動的に開弁を行い人的な開弁作業を軽減することを目的としている。
【課題を解決するための手段】
【０００６】
前記従来の課題を解決するために本発明のガス遮断装置は、通過ガス流量に対応した流量を測定する流量測定手段と、ガス通路の開閉を行う遮断弁と、前記遮断弁の開閉駆動をする駆動部と、地震の振動を検出する感震器センサと、ガス管の圧力低下を検出する圧力センサと、外部機器からの異常信号を入力する外部入力端子と、前記流量測定手段によりガス流量に異常がある場合、あるいは前記感震器センサ、前記圧力センサ、前記外部入力端子から異常信号がある場合前記駆動部を動作させ前記遮断弁を閉動作させガス通路を遮断するとともに前記感震器センサで遮断した場合復帰要求信号を所定期間毎に複数回出力する制御部と、前記制御部からの復帰要求信号により前記駆動部を動作させて前記遮断弁を開動作さてガス通路を開けたのち所定期間前記流量測定手段によりガスの漏洩がないか、前記感震器センサ、前記圧力センサ、前記外部入力端子からの復帰異常信号がないかどうかを監視し異常があれば前記遮断弁を閉動作させガス通路を遮断、異常がなければ所定期間経過後前記制御部へ開動作完了信号を送る自動復帰部とを備えたものである。
【０００７】
これによって、制御部により地震の時に遮断するとともにこの地震を検出して自動復帰部で安全であれば所定期間後に遮断弁を開けてガスが使用できるようにして人的な開弁作業を軽減できる。
【発明の効果】
【０００８】
本発明のガス遮断装置は、地震等により一斉にその地区の各家庭の遮断弁が閉じた場合でも安全を確保してからその家庭の人がガスを使用することができる。今までのように各家庭に遮断弁の復帰の仕方等の説明をする必要がなくなり、ガス事業者が出動して安全を確認してからスイッチを押しにいく必要もなくなる。
【発明を実施するための最良の形態】
【０００９】
本発明の実施の形態におけるガス遮断装置は、通過ガス流量に対応した流量を測定する流量測定手段と、ガス通路の開閉を行う遮断弁と、前記遮断弁の開閉駆動をする駆動部と、地震の振動を検出する感震器センサと、ガス管の圧力低下を検出する圧力センサと、外部機器からの異常信号を入力する外部入力端子と、前記流量測定手段によりガス流量に異常がある場合、あるいは前記感震器センサ、前記圧力センサ、前記外部入力端子から異常信号がある場合前記駆動部を動作させ前記遮断弁を閉動作させガス通路を遮断するとともに前記感震器センサで遮断した場合復帰要求信号を所定期間毎に複数回出力する制御部と、前記制御部からの復帰要求信号により前記駆動部を動作させて前記遮断弁を開動作さてガス通路を開けたのち所定期間前記流量測定手段によりガスの漏洩がないか、前記感震器センサ、前記圧力センサ、前記外部入力端子からの復帰異常信号がないかどうかを監視し異常があれば前記遮断弁を閉動作させガス通路を遮断、異常がなければ所定期間経過後前記制御部へ開動作完了信号を送る自動復帰部とを備え、地震等により一斉にその地区の各家庭の遮断弁２が閉じた場合でも安全を確保してからその家庭の人がガスを使用することができる。今までのように各家庭に遮断弁２の復帰の仕方等の説明をする必要がなくなり、ガス事業者が出動して安全を確認してからスイッチを押しにいく必要もなくなり、遮断時に安全を保ちながら自動的に開弁を行い人的な開弁作業を軽減することができる。
【００１０】
以下、本発明の実施の形態について、図面を参照しながら説明する。なお、本実施の形態によって本発明が限定されるものではない。
【００１１】
（実施の形態１）
本発明の実施の形態１におけるガス遮断装置について、図１および図２を用いて説明する。
【００１２】
図１において、２はガス通路の開閉を行う遮断弁、１は通過ガス流量に対応した流量を測定する流量測定手段、３は遮断弁２の開閉駆動をする愚答部、４は遮断弁２や流量測定手段が取り付けられているガスメータ、６は遮断弁２が駆動部３を駆動する駆動信号がないときに動作したことを検出して（図２に示す構成の遮断弁２のプランジャが動作したときの起電力を検出して）衝撃信号を出力する衝撃検出手段、５は衝撃検出手段６からの衝撃信号により遮断弁２の開閉状態を検出して（図２に示す構成の遮断弁２のプランジャの位置の違いによるインダクタンスを検出して）閉であれば復帰要求信号を出力する開閉状態検出部、７は地震の振動を検出する感震器センサ、８はガス管の圧力低下を検出する圧力センサと、９は警報器等の外部機器からの異常信号を入力する外部入力端子、１２はガス通路が遮断されたことを外部に報知する報知手段としてのＬＥＤ、１３は外部より遮断弁２の開を指示する外部復帰手段としてのスイッチ、１０は流量測定手段１によりガス流量に異常がある場合、あるいは感震器センサ７、圧力センサ８、外部入力端子９から異常信号がある場合駆動部３を動作させ遮断弁２を閉動作させガス通路を遮断してＬＥＤ（報知手段１２）を表示させる一方外部復帰手段（スイッチ）からの信号により駆動部３を駆動して遮断文２を開動作する制御部、１１は開閉状態検出部５からの復帰要求信号により駆動部３を動作させて遮断弁２を開動作さてガス通路を開けたのち所定期間流量測定手段１によりガスの漏洩がないか、感震器センサ７、圧力センサ８、外部入力端子９からの復帰異常信号がないかどうかを監視し異常があれば遮断弁２を閉動作させガス通路を遮断、異常がなければ所定期間経過後制御部１０へ開動作完了信号を送る自動復帰部である。
【００１３】
ボール等の衝撃等により遮断弁２が動作してガス通路が遮断した場合、衝撃検出部６は遮断弁２の起電力を検出して衝撃信号を出力する。開閉状態検出部５はこの衝撃信号により遮断弁２が閉まっているかどうかを遮断弁２のイダクタンスを測定して閉まっていれば復帰要求信号を出力する。自動復帰部１１はこの復帰要求信号により駆動部３を動作させて遮断弁２を開動作さてガス通路を開けたのち所定期間流量測定手段１によりガスの漏洩がないか、感震器センサ７、圧力センサ８、外部入力端子９からの復帰異常信号がないかどうかを監視し異常があれば遮断弁２を閉動作させガス通路を遮断、異常がなければ所定期間経過後制御部１０へ開動作完了信号を送りガスを使用可能にする。これにより衝撃等によりガス通路が遮断した場合でも安全を確保してその家庭の人がガスを使用することができる。上述した自動復帰部１１は、マイクロコンピュータなどのプログラム動作による演算や判定機能をもちいれば実現できるものである。
【００１４】
図３に上述した自動復帰部１１が衝撃による復帰要求信号を受けてから開動作完了をだすまでのプログラムフローを示す。処理４０で開閉状態検出部５からの復帰要求信号がないかどうかチェックしあれば処理４１で駆動部３を駆動し遮断弁２を開動作させガス通路を開ける。次に処理４２で漏洩量を監視するために２分のタイマを開始する。次に処理４３で流量測定手段１によりガスの漏洩がないか、感震器センサ７、圧力センサ８、外部入力端子９からの復帰異常信号がないかどうかを監視し異常があれば処理４４で遮断し、異常がなければ処理４５で２分終了するかどうか確認し２分終了すれば処理４６で制御部１０へ開動作完了信号を送りガスが使用できるようにする。
【００１５】
（実施の形態２）
本発明の実施の形態２におけるガス遮断装置について、図４を用いて説明する。
【００１６】
図４において、２はガス通路の開閉を行う遮断弁、１は通過ガス流量に対応した流量を測定する流量測定手段、３は遮断弁２の開閉駆動をする駆動部、４は遮断弁２や流量測定手段が取り付けられているガスメータ、７は地震の振動を検出する感震器センサ、８はガス管の圧力低下を検出する圧力センサと、９は警報器等の外部機器からの異常信号を入力する外部入力端子、１２はガス通路が遮断されたことを外部に報知する報知手段としてのＬＥＤ、１３は外部より遮断弁２の開を指示する外部復帰手段としてのスイッチ、２０は流量測定手段１によりガス流量に異常がある場合、あるいは感震器センサ７、圧力センサ８、外部入力端子９から異常信号がある場合駆動部９を動作させ遮断弁２を閉動作させガス通路を遮断してＬＥＤ（報知手段１２）を表示させるとともに前記感震器センサで遮断した場合復帰要求信号を所定期間毎に複数回出力する一方外部復帰手段（スイッチ）からの信号により駆動部３を駆動して遮断弁２を開動作する制御部、１１は制御部２０からの復帰要求信号により駆動部３を動作させて遮断弁２を開動作さてガス通路を開けたのち所定期間流量測定手段１によりガスの漏洩がないか、感震器センサ７、圧力センサ８、外部入力端子９からの復帰異常信号がないかどうかを監視し異常があれば遮断弁２を閉動作させガス通路を遮断、異常がなければ所定期間経過後制御部１０へ開動作完了信号を送る自動復帰部である。
【００１７】
地震により制御部２０より駆動信号が駆動部３に送られ遮断弁２が閉動作しガス通路が遮断した場合、制御部２０は復帰要求信号を出力する。自動復帰部１１はこの復帰要求信号により駆動部３を動作させて遮断弁２を開動作さてガス通路を開けたのち所定期間流量測定手段１によりガスの漏洩がないか、感震器センサ７、圧力センサ８、外部入力端子９からの復帰異常信号がないかどうかを監視し異常があれば遮断弁２を閉動作させガス通路を遮断、異常がなければ所定期間経過後制御部１０へ開動作完了信号を送りガスを使用可能にする。また制御部２０は地震によるガス配管等の折損等の修理が行われることもあるので復帰要求信号を２４時間毎に３回出力する。これにより地震等により一斉にその地区の各家庭の遮断弁２が閉じた場合でも安全を確保してからその家庭の人がガスを使用することができる。今までのように各家庭に遮断弁２の復帰の仕方等の説明をする必要がなくなり、ガス事業者が出動して安全を確認してからスイッチ（外部復帰手段１３）を押しにいく必要もなくなる。上述した自動復帰部１１、制御部２０は、マイクロコンピュータなどのプログラム動作による演算や判定機能をもちいれば実現できるものである。
【００１８】
図５に上述した制御部２０、自動復帰部１１が感震遮断により復帰要求信号を受けてから開動作完了をだすまでのプログラムフローを示す。制御部２０は処理５０で感震器センサ７からの異常信号による遮断かどうかを判断して感震遮断であれば処理５１で複数回復帰信号を出力するためのカウンタをクリア（０）にする。次に処理５２で２５時間タイマの動作を開始する。次に処理５３で復帰要求信号を自動復帰部１１へ出力する。自動復帰部１１はこの制御部２０からの復帰要求信号があれば処理５４で駆動部３を駆動し遮断弁２を開動作させガス通路を開ける。
【００１９】
次に処理５５で漏洩量を監視するために２分のタイマを開始する。次に処理５６で流量測定手段１によりガスの漏洩がないか、感震器センサ７、圧力センサ８、外部入力端子９からの復帰異常信号がないかどうかを監視し異常があれば処理５７で遮断し、異常がなければ処理５８で２分終了するかどうか確認し２分終了すれば処理５９で制御部１０へ開動作完了信号を送りガスが使用できるようにする。次に処理６０でこの動作が３回目かどうかをチェックし３回目でなければ処理６１でカウンタを＋１して処理６２で２５時間経過させて再度処理５２から同じ処理を３回行なう。この３回の内に地震による不安全が解除できれば遮断弁２を自動的に復帰してガスが使用できるようになる。
【図面の簡単な説明】
【００２０】
【図１】本発明の実施の形態１のガス遮断装置を示す機能ブロック図
【図２】（イ）同装置の遮断弁が開状態を示す構成図（ロ）同装置の遮断弁が閉状態を示す構成図
【図３】同装置の動作プログラムを示すフローチャート
【図４】本発明の実施の形態２におけるガス遮断装置を示す機能ブロック図
【図５】同装置の動作プログラムを示すフローチャート
【図６】従来のガス遮断装置を示す機能ブロック図
【符号の説明】
【００２１】
２  遮断弁
５  開閉状態検出部
６  衝撃検出部
７  感震器センサ
１０、２０  制御部
１１  自動復帰部
【図１】
2005188925.tif 000003
【図２】
2005188925.tif 000004
【図３】
2005188925.tif 000005
【図４】
2005188925.tif 000006
【図５】
2005188925.tif 000007
【図６】
2005188925.tif 000008